(57)【要約】【課題】メカニカルシャッターの無いカメラ機構を搭載した撮像装置であっても、簡単な操作により撮像素子を遮光して撮像素子の画素欠陥を容易に検出でき、補正を行うことができる。【解決手段】被写体からの光を受光し、受光した光量に応じた信号を出力する複数の受光素子を備えた撮像素子を備え、撮像素子が遮光された状態で複数の受光素子の各々から出力された信号に基づいて受光素子の欠陥を検出し、その検出結果を記憶し、この記憶された検出結果に基づいて撮像素子から出力された信号を補正する撮像装置１０を、撮像装置１０を装着可能な装着部材７２と、撮像装置１０が装着部材７２に装着された状態で撮像装置１０の撮像素子を遮光する遮光部７６を備えたクレードル７０に装着して、撮像装置１０に受光素子の欠陥を検出させる。【選択図】図１
2007329556.tif 000002
【特許請求の範囲】
【請求項１】
被写体からの光を受光し、受光した光量に応じた信号を出力する複数の受光素子を備えた撮像素子を有する撮像装置を装着可能な装着部材と、
前記撮像装置が前記装着部材に装着された状態で前記撮像装置の前記撮像素子を遮光する遮光手段と、
を含むクレードル。
【請求項２】
前記遮光手段を、前記装着部材の、前記撮像装置が前記装着部材に装着されたときに前記撮像素子に相対する位置に配置した請求項１記載のクレードル。
【請求項３】
前記撮像素子が遮光された状態で前記複数の受光素子の各々から出力された信号に基づいて前記受光素子の欠陥を検出する欠陥検出手段、前記欠陥検出手段の検出結果を記憶する記憶手段、前記記憶手段に記憶された検出結果に基づいて前記撮像素子から出力された信号を補正する補正手段、および前記欠陥検出手段に前記欠陥の検出を行わせる指示を入力するための指示入力手段を更に備えた撮像装置が装着されたときに、前記指示入力手段を操作して前記指示を入力する操作手段を更に設けた請求項２記載のクレードル。
【請求項４】
開閉可能なカバー部材を更に設け、
前記遮光手段を、前記カバー部材の、前記装着部材に前記撮像装置が装着された状態で前記カバー部材が閉じられたときに前記撮像素子に相対する位置に配置した請求項１記載のクレードル。
【請求項５】
前記撮像素子が遮光された状態で前記複数の受光素子の各々から出力された信号に基づいて前記受光素子の欠陥を検出する欠陥検出手段、前記欠陥検出手段の検出結果を記憶する記憶手段、前記記憶手段に記憶された検出結果に基づいて前記撮像素子から出力された信号を補正する補正手段、および前記欠陥検出手段に前記欠陥の検出を行わせる指示を入力するための指示入力手段を更に備えた撮像装置が装着された状態で前記カバー部材が閉じられたときに、前記指示入力手段を操作して前記指示を入力する操作手段を更に設けた請求項４記載のクレードル。
【請求項６】
前記撮像装置に備えられた電源を充電するための電力を前記撮像装置が前記装着部材に装着された状態で供給する電力供給手段を更に設けた請求項１乃至請求項５のいずれか１項記載のクレードル。
【請求項７】
遮光手段を備えたクレードルに装着可能な撮像装置であって、
被写体からの光を受光し、受光した光量に応じた信号を出力する複数の受光素子を備えた撮像素子と、
前記クレードルに装着され前記撮像素子が前記遮光手段に遮光された状態で前記複数の受光素子の各々から出力された信号に基づいて、前記受光素子の欠陥を検出する欠陥検出手段と、
前記欠陥検出手段の検出結果を記憶する記憶手段と、
前記記憶手段に記憶された検出結果に基づいて前記撮像素子から出力された信号を補正する補正手段と、
を含む撮像装置。
【請求項８】
前記クレードルに装着されたことを検出する装着検出手段を更に設け、
前記欠陥検出手段は、前記クレードルに前記撮像装置が装着されたことが検出されたときに前記欠陥の検出を行う請求項７記載の撮像装置。
【請求項９】
前記欠陥検出手段は、前記クレードルに前記撮像装置が装着されたことが検出され、且つ前回の欠陥検出日時から所定期間以上の期間が経過したときに前記欠陥の検出を行う請求項８記載の撮像装置。
【請求項１０】
前記遮光手段が設けられた開閉可能なカバー部材を備えたクレードルに装着された状態で、該カバー部材が閉じられたことを検出するカバー部材検出手段を更に設け、
前記欠陥検出手段は、前記クレードルに前記撮像装置が装着された状態で前記カバー部材が閉じられたことが検出されたときに前記欠陥の検出を行う請求項７記載の撮像装置。
【請求項１１】
前記欠陥検出手段は、前記クレードルに前記撮像装置が装着された状態で前記カバー部材が閉じられたことが検出され、且つ前回の欠陥検出日時から所定期間以上の期間が経過したときに前記欠陥の検出を行う請求項１０記載の撮像装置。
【請求項１２】
前記欠陥の検出を行わせる指示を入力するための指示入力手段を更に設け、
前記欠陥検出手段は、前記指示が入力されたときに前記欠陥の検出を行う請求項７記載の撮像装置。
【請求項１３】
前記欠陥検出手段は、前記指示が入力され、且つ前回の欠陥検出日時から所定期間以上の期間が経過したときに前記欠陥の検出を行う請求項１２記載の撮像装置。
【請求項１４】
前記遮光手段および外部装置に電力を供給する電力供給手段を備えたクレードルに装着され且つ前記欠陥検出手段により前記欠陥の検出が行われていないときには、駆動用の電力を供給する電源への充電を該電力供給手段から供給された電力によって行い、前記クレードルに装着され且つ前記欠陥検出手段により前記欠陥の検出が行われているときには、前記電源への充電を停止する充電制御手段を更に設けた請求項７乃至請求項１３のいずれか１項記載の撮像装置。
【請求項１５】
被写体からの光を受光し、受光した光量に応じた信号を出力する複数の受光素子を備えた撮像素子、
前記撮像素子が遮光された状態で前記複数の受光素子の各々から出力された信号に基づいて、前記受光素子の欠陥を検出する欠陥検出手段、
前記欠陥検出手段の検出結果を記憶する記憶手段、
および前記記憶手段に記憶された検出結果に基づいて前記撮像素子から出力された信号を補正する補正手段、
を備えた撮像装置と、
前記撮像装置を装着可能な装着部材、
および前記撮像装置が前記装着部材に装着された状態で前記撮像装置の前記撮像素子を遮光する遮光手段、
を備えたクレードルと、
を含む撮像システム。
【請求項１６】
前記遮光手段を、前記装着部材の、前記撮像装置が前記装着部材に装着されたときに前記撮像素子に相対する位置に配置した請求項１５記載の撮像システム。
【請求項１７】
前記クレードルに、開閉可能なカバー部材を更に設け、
前記遮光手段を、前記カバー部材の、前記装着部材に前記撮像装置が装着された状態で前記カバー部材が閉じられたときに前記撮像素子に相対する位置に配置した請求項１５記載の撮像システム。
【請求項１８】
前記撮像装置に、前記装着部材に装着されたことを検出する装着検出手段を更に設け、
前記欠陥検出手段は、前記装着部材に前記撮像装置が装着されたことが検出されたときに前記欠陥の検出を行う請求項１６のいずれか１項記載の撮像システム。
【請求項１９】
前記欠陥検出手段は、前記装着部材に前記撮像装置が装着されたことが検出され、且つ前回の欠陥検出日時から所定期間以上の期間が経過したときに前記欠陥の検出を行う請求項１８記載の撮像システム。
【請求項２０】
前記撮像装置に、前記装着部材に前記撮像装置が装着された状態で前記カバー部材が閉じられたことを検出するカバー部材検出手段を更に設け、
前記欠陥検出手段は、前記装着部材に前記撮像装置が装着された状態で前記カバー部材が閉じられたことが検出されたときに前記欠陥の検出を行う請求項１７記載の撮像システム。
【請求項２１】
前記欠陥検出手段は、前記装着部材に前記撮像装置が装着された状態で前記カバー部材が閉じられたことが検出され、且つ前回の欠陥検出日時から所定期間以上の期間が経過したときに前記欠陥の検出を行う請求項２０記載の撮像システム。
【請求項２２】
前記撮像装置に、前記欠陥検出手段に前記欠陥の検出を行わせる指示を入力するための指示入力手段を更に設け、
前記クレードルに、前記撮像装置が装着されたときに前記指示入力手段を操作して前記指示を入力する操作手段を更に設け、
前記欠陥検出手段は、前記指示が入力されたときに前記欠陥の検出を行う請求項１６記載の撮像システム。
【請求項２３】
前記撮像装置に、前記欠陥検出手段に前記欠陥の検出を行わせる指示を入力するための指示入力手段を更に設け、
前記クレードルに、前記撮像装置が装着された状態で前記カバー部材が閉じられたときに前記指示入力手段を操作して前記指示を入力する操作手段を更に設け、
前記欠陥検出手段は、前記指示が入力されたときに前記欠陥の検出を行う請求項１８記載の撮像システム。
【請求項２４】
前記欠陥検出手段は、前記指示が入力され、且つ前回の欠陥検出日時から所定期間以上の期間が経過したときに前記欠陥の検出を行う請求項２２または２３記載の撮像システム。
【請求項２５】
前記クレードルに、前記撮像装置が前記装着部材に装着された状態で前記撮像装置の電源を充電するための電力を供給する電力供給手段を更に設け、
前記撮像装置に、前記装着部材に装着され且つ前記欠陥検出手段により前記欠陥の検出が行われていないときには、前記電源への充電を前記電力供給手段から供給された電力によって行い、前記装着部材に装着され且つ前記欠陥検出手段により前記欠陥の検出が行われているときには、前記電源への充電を停止する充電制御手段を更に設け設けた
請求項１５乃至請求項２４のいずれか１項記載の撮像システム。
【請求項２６】
被写体からの光を受光し、受光した光量に応じた信号を出力する複数の受光素子を備えた撮像素子を備えた撮像装置を、前記撮像装置の撮像素子を遮光する遮光手段を備えたクレードルに装着する装着ステップと、
前記撮像装置が前記クレードルに装着されて前記撮像素子が前記遮光手段により遮光されたときに、前記複数の受光素子の各々から出力された信号に基づいて、前記受光素子の欠陥を検出する検出ステップと、
を含む欠陥検出方法。
【発明の詳細な説明】
【技術分野】
【０００１】
本発明は、撮像素子に備えられた複数の受光素子の欠陥を検出する撮像装置、該撮像装置に対応するクレードル、撮像システム、および欠陥検出方法に関する。
【背景技術】
【０００２】
被写体からの光を受光し、受光した光量に応じた信号を出力する複数の受光素子を備えたＣＣＤ（電荷結合素子）等の撮像素子により被写体を撮像する撮像装置が普及している。個々の受光素子は１画素に相当するため、以下では受光素子を画素と称する。
【０００３】
従来から、撮像素子には画素欠陥が存在するが、これを製造上ゼロにすることは困難である。このため、欠陥画素の周辺の画素が出力した信号から、該欠陥画素の信号を補完することで撮影画像に補正を行っている。
【０００４】
このような補正を行う装置としては、例えば、製造時に予め登録した欠陥画素のアドレスデータを用いて、画像処理で補正を行う撮像装置が知られている（例えば、特許文献１参照。）。
【０００５】
ただし、このように工場出荷時に欠陥画素のアドレスデータを登録しておいても、使用している間に宇宙線により新しく欠陥が発生する場合がある。この場合には欠陥に相当するアドレスデータが無いため、補正することはできない。
【０００６】
そこで、出荷後に時計表示を設定する毎にシャッターを閉じた状態でＣＣＤを遮光してデータを取り込み、白傷（画素欠陥）を検出する電子カメラが知られている（例えば、特許文献２参照。）。このような方法を用いると、使用中に発生した後発欠陥についても、再検出が可能となる。
【特許文献１】特開２０００−２２４４８７号公報
【特許文献２】特開２００２−１２５１５４号公報
【発明の開示】
【発明が解決しようとする課題】
【０００７】
一方、近年、カメラ機能を搭載した携帯端末が増えてきており、非常に小スペース且つ安価なカメラ機構が数多く開発されている。そのような機構を有する携帯端末には、ＣＣＤの読み出しの電子シャッターのみによりシャッターを切り、メカニカルなシャッターを搭載しないものもある。このような携帯端末では、ＣＣＤを遮光して画素欠陥を検出することはできない。
【０００８】
本発明は、上記問題を解決すべく成されたもので、メカニカルシャッターの無いカメラ機構を搭載した撮像装置であっても、簡単な操作により撮像素子を遮光して撮像素子の画素欠陥を容易に検出でき、補正を行うことが可能な撮像装置、該撮像装置用のクレードル、撮像システム、および欠陥検出方法を提供することを目的とする。
【課題を解決するための手段】
【０００９】
上記目的を達成するために、本発明のクレードルは、被写体からの光を受光し、受光した光量に応じた信号を出力する複数の受光素子を備えた撮像素子を有する撮像装置を装着可能な装着部材と、前記撮像装置が前記装着部材に装着された状態で前記撮像装置の前記撮像素子を遮光する遮光手段と、を含んで構成されている。
【００１０】
このクレードルに、例えば、撮像素子が遮光された状態で前記複数の受光素子の各々から出力された信号に基づいて前記受光素子の欠陥を検出し、該検出結果に基づいて撮像素子から出力された信号を補正することができる撮像装置を装着すれば、メカニカルシャッターを有さない撮像装置であっても、容易に撮像素子を遮光して受光素子の欠陥を検出する処理を行うことができる。
【００１１】
なお、前記遮光手段を、前記装着部材の、前記撮像装置が前記装着部材に装着されたときに前記撮像素子に相対する位置に配置することができる。
【００１２】
これにより、撮像装置をクレードルの装着部材に装着しただけで、容易に撮像素子を遮光することができる。
【００１３】
また、前記撮像素子が遮光された状態で前記複数の受光素子の各々から出力された信号に基づいて前記受光素子の欠陥を検出する欠陥検出手段、前記欠陥検出手段の検出結果を記憶する記憶手段、前記記憶手段に記憶された検出結果に基づいて前記撮像素子から出力された信号を補正する補正手段、および前記欠陥検出手段に前記欠陥の検出を行わせる指示を入力するための指示入力手段を更に備えた撮像装置が装着されたときに、前記指示入力手段を操作して前記指示を入力する操作手段を更に設けることができる。
【００１４】
これにより、このクレードルの装着部材に撮像装置を装着するだけで自動的に撮像装置に欠陥の検出を実行させることができる。
【００１５】
また、本発明のクレードルに、開閉可能なカバー部材を更に設け、前記遮光手段を、前記カバー部材の、前記装着部材に前記撮像装置が装着された状態で前記カバー部材が閉じられたときに前記撮像素子に相対する位置に配置することができる。
【００１６】
これにより、撮像装置をクレードルの装着部材に装着してカバー部材を閉じただけで、容易に撮像素子を遮光することができる。
【００１７】
また、前記撮像素子が遮光された状態で前記複数の受光素子の各々から出力された信号に基づいて前記受光素子の欠陥を検出する欠陥検出手段、前記欠陥検出手段の検出結果を記憶する記憶手段、前記記憶手段に記憶された検出結果に基づいて前記撮像素子から出力された信号を補正する補正手段、および前記欠陥検出手段に前記欠陥の検出を行わせる指示を入力するための指示入力手段を更に備えた撮像装置が装着された状態で前記カバー部材が閉じられたときに、前記指示入力手段を操作して前記指示を入力する操作手段を更に設けることができる。
【００１８】
これにより、このクレードルの装着部材に撮像装置を装着してカバー部材を閉じるだけで自動的に撮像装置に欠陥の検出を実行させることができる。
【００１９】
また、前記撮像装置に備えられた電源を充電するための電力を前記撮像装置が前記装着部材に装着された状態で供給する電力供給手段を更に設けることができる。
【００２０】
このような構成により、クレードルを充電器として使用できるため、充電と共に受光素子の欠陥を検出する処理を実行することも可能になる。
【００２１】
本発明の撮像装置は、遮光手段を備えたクレードルに装着可能な撮像装置であって、被写体からの光を受光し、受光した光量に応じた信号を出力する複数の受光素子を備えた撮像素子と、前記クレードルに装着され前記撮像素子が前記遮光手段に遮光された状態で前記複数の受光素子の各々から出力された信号に基づいて、前記受光素子の欠陥を検出する欠陥検出手段と、前記欠陥検出手段の検出結果を記憶する記憶手段と、前記記憶手段に記憶された検出結果に基づいて前記撮像素子から出力された信号を補正する補正手段と、を含んで構成されている。
【００２２】
遮光手段を備えたクレードルに撮像装置を装着すれば、メカニカルシャッターを有さない撮像装置であっても、容易に撮像素子を遮光して受光素子の欠陥を検出する処理を行うことができる。
【００２３】
前記クレードルに装着されたことを検出する装着検出手段を更に設け、前記欠陥検出手段は、前記クレードルに前記撮像装置が装着されたことが検出されたときに前記欠陥の検出を行うことができる。
【００２４】
これにより、クレードルに撮像装置を装着するだけで自動的に欠陥の検出を開始することができる。
【００２５】
前記欠陥検出手段は、前記クレードルに前記撮像装置が装着されたことが検出され、且つ前回の欠陥検出日時から所定期間以上の期間が経過したときに前記欠陥の検出を行うことができる。
【００２６】
これにより、不必要に何度も欠陥検出を行わずにすみ、適度な間隔で欠陥検出を行うことができる。
【００２７】
前記遮光手段が設けられた開閉可能なカバー部材を備えたクレードルに装着された状態で、該カバー部材が閉じられたことを検出するカバー部材検出手段を更に設け、前記欠陥検出手段は、前記クレードルに前記撮像装置が装着された状態で前記カバー部材が閉じられたことが検出されたときに前記欠陥の検出を行うことができる。
【００２８】
これにより、クレードルに撮像装置を装着してカバー部材を閉じるだけで自動的に欠陥の検出を開始することができる。
【００２９】
前記欠陥検出手段は、前記クレードルに前記撮像装置が装着された状態で前記カバー部材が閉じられたことが検出され、且つ前回の欠陥検出日時から所定期間以上の期間が経過したときに前記欠陥の検出を行うことができる。
【００３０】
これにより、不必要に何度も欠陥検出を行わずにすみ、適度な間隔で欠陥検出を行うことができる。
【００３１】
なお、本発明の撮像装置に、前記欠陥の検出を行わせる指示を入力するための指示入力手段を更に設け、前記欠陥検出手段は、前記指示が入力されたときに前記欠陥の検出を行うことができる。
【００３２】
これにより、外部から指示が入力されたときに欠陥の検出を開始することができる。
【００３３】
前記欠陥検出手段は、前記指示が入力され、且つ前回の欠陥検出日時から所定期間以上の期間が経過したときに前記欠陥の検出を行うことができる。
【００３４】
これにより、不必要に何度も欠陥検出を行わずにすみ、適度な間隔で欠陥検出を行うことができる。
【００３５】
なお、本発明の撮像装置に、前記遮光手段および外部装置に電力を供給する電力供給手段を備えたクレードルに装着され且つ前記欠陥検出手段により前記欠陥の検出が行われていないときには、駆動用の電力を供給する電源への充電を該電力供給手段から供給された電力によって行い、前記クレードルに装着され且つ前記欠陥検出手段により前記欠陥の検出が行われているときには、前記電源への充電を停止する充電制御手段を更に設けてもよい。
【００３６】
このような構成により、クレードルを充電器として使用できるため、充電と共に受光素子の欠陥を検出する処理を実行することも可能になる。
【００３７】
本発明の撮像システムは、被写体からの光を受光し、受光した光量に応じた信号を出力する複数の受光素子を備えた撮像素子、前記撮像素子が遮光された状態で前記複数の受光素子の各々から出力された信号に基づいて、前記受光素子の欠陥を検出する欠陥検出手段、前記欠陥検出手段の検出結果を記憶する記憶手段、および前記記憶手段に記憶された検出結果に基づいて前記撮像素子から出力された信号を補正する補正手段、を備えた撮像装置と、前記撮像装置を装着可能な装着部材、および前記撮像装置が前記装着部材に装着された状態で前記撮像装置の前記撮像素子を遮光する遮光手段、を備えたクレードルと、を含んで構成されている。
【００３８】
このような構成により、クレードルに撮像装置を装着すれば、メカニカルシャッターを有さない撮像装置であっても、容易に撮像素子を遮光して受光素子の欠陥を検出する処理を行うことができる。
【００３９】
前記遮光手段を、前記装着部材の、前記撮像装置が前記装着部材に装着されたときに前記撮像素子に相対する位置に配置することができる。
【００４０】
これにより、撮像装置をクレードルの装着部材に装着しただけで、容易に撮像素子を遮光することができる。
【００４１】
前記クレードルに、開閉可能なカバー部材を更に設け、前記遮光手段を、前記カバー部材の、前記装着部材に前記撮像装置が装着された状態で前記カバー部材が閉じられたときに前記撮像素子に相対する位置に配置することができる。
【００４２】
これにより、撮像装置をクレードルの装着部材に装着してカバー部材を閉じただけで、容易に撮像素子を遮光することができる。
【００４３】
前記撮像装置に、前記装着部材に装着されたことを検出する装着検出手段を更に設け、前記欠陥検出手段は、前記装着部材に前記撮像装置が装着されたことが検出されたときに前記欠陥の検出を行うことができる。
【００４４】
これにより、クレードルに撮像装置を装着するだけで自動的に欠陥の検出を開始することができる。
【００４５】
前記欠陥検出手段は、前記装着部材に前記撮像装置が装着されたことが検出され、且つ前回の欠陥検出日時から所定期間以上の期間が経過したときに前記欠陥の検出を行うことができる。
【００４６】
これにより、不必要に何度も欠陥検出を行わずにすみ、適度な間隔で欠陥検出を行うことができる。
【００４７】
前記撮像装置に、前記装着部材に前記撮像装置が装着された状態で前記カバー部材が閉じられたことを検出するカバー部材検出手段を更に設け、前記欠陥検出手段は、前記装着部材に前記撮像装置が装着された状態で前記カバー部材が閉じられたことが検出されたときに前記欠陥の検出を行うことができる。
【００４８】
これにより、クレードルに撮像装置を装着してカバー部材を閉じるだけで自動的に欠陥の検出を開始することができる。
【００４９】
前記欠陥検出手段は、前記装着部材に前記撮像装置が装着された状態で前記カバー部材が閉じられたことが検出され、且つ前回の欠陥検出日時から所定期間以上の期間が経過したときに前記欠陥の検出を行うことができる。
【００５０】
これにより、不必要に何度も欠陥検出を行わずにすみ、適度な間隔で欠陥検出を行うことができる。
【００５１】
前記撮像装置に、前記欠陥検出手段に前記欠陥の検出を行わせる指示を入力するための指示入力手段を更に設け、前記クレードルに、前記撮像装置が装着されたときに前記指示入力手段を操作して前記指示を入力する操作手段を更に設け、前記欠陥検出手段は、前記指示が入力されたときに前記欠陥の検出を行うことができる。
【００５２】
また、前記撮像装置に、前記欠陥検出手段に前記欠陥の検出を行わせる指示を入力するための指示入力手段を更に設け、前記クレードルに、前記撮像装置が装着された状態で前記カバー部材が閉じられたときに前記指示入力手段を操作して前記指示を入力する操作手段を更に設け、前記欠陥検出手段は、前記指示が入力されたときに前記欠陥の検出を行うことができる。
【００５３】
このような構成により、クレードルから指示入力手段を操作して欠陥検出を行わせる指示を入力することができる。
【００５４】
前記欠陥検出手段は、前記指示が入力され、且つ前回の欠陥検出日時から所定期間以上の期間が経過したときに前記欠陥の検出を行うことができる。
【００５５】
これにより、不必要に何度も欠陥検出を行わずにすみ、適度な間隔で欠陥検出を行うことができる。
【００５６】
前記クレードルに、前記撮像装置が前記装着部材に装着された状態で前記撮像装置の電源を充電するための電力を供給する電力供給手段を更に設け、前記撮像装置に、前記装着部材に装着され且つ前記欠陥検出手段により前記欠陥の検出が行われていないときには、前記電源への充電を前記電力供給手段から供給された電力によって行い、前記装着部材に装着され且つ前記欠陥検出手段により前記欠陥の検出が行われているときには、前記電源への充電を停止する充電制御手段を更に設けることができる。
【００５７】
このような構成により、クレードルを充電器として使用できるため、充電と共に受光素子の欠陥を検出する処理を実行することも可能になる。
【００５８】
本発明の欠陥検出方法は、被写体からの光を受光し、受光した光量に応じた信号を出力する複数の受光素子を備えた撮像素子を備えた撮像装置を、前記撮像装置の撮像素子を遮光する遮光手段を備えたクレードルに装着する装着ステップと、前記撮像装置が前記クレードルに装着されて前記撮像素子が前記遮光手段により遮光されたときに、前記複数の受光素子の各々から出力された信号に基づいて、前記受光素子の欠陥を検出する検出ステップと、を含んで構成されている。
【００５９】
このような方法によれば、クレードルに撮像装置を装着すれば、メカニカルシャッターを有さない撮像装置であっても、容易に撮像素子を遮光して受光素子の欠陥を検出する処理を行うことができる。
【発明の効果】
【００６０】
以上説明したように本発明によれば、メカニカルシャッターの無いカメラ機構を搭載した撮像装置であっても、簡単な操作により撮像素子を遮光して撮像素子の画素欠陥を容易に検出でき、補正を行うことができる、という効果を奏する。
【発明を実施するための最良の形態】
【００６１】
以下、図面を参照して、本発明の実施の形態について詳細に説明する。
【００６２】
［第１の実施の形態］
まず、図１を参照して、本実施の形態に係る撮像システムの概略構成を説明する。この撮像システムは、撮像機能を有する携帯端末装置１０と、携帯端末装置１０を装着可能なクレードル７０を備えている。
【００６３】
携帯端末装置１０の表面には、レンズ部１２と欠陥検出スイッチ６０とが設けられている。レンズ部１２は被写体からの光をＣＣＤ（Charge Coupled Device：電荷結合素子）１４（図２参照）に結像させるための光学部材である。欠陥検出スイッチ６０は、ＣＣＤ１４を構成する複数の受光素子（画素）の欠陥を検出する処理を開始するためのスイッチであって、これが外部からオンされることにより、携帯端末装置１０で該検出処理が開始される。該検出処理では、欠陥画素の位置が特定され、該位置を特定するアドレスデータが後述するマイコン２０の記憶部２０ａに記憶される。欠陥画素は、受光量に応じた電荷を正常に出力することができない画素や暗電流の不均一によるノイズが規定値以上に発生してしまう画素などをいい、この欠陥画素については、補正を施さない限り画質が劣化する。従って、この携帯端末装置１０では、後述するように欠陥画素の周囲の画素から出力された画像信号に基づいて、画像信号を補正する。
【００６４】
クレードル７０は、携帯端末装置１０を装着可能な装着部材７２を備えている。携帯端末装置１０は、装着部材７２に対して携帯端末装置１０のレンズ部１２および欠陥検出スイッチ６０が上面となるような方向で装着される。装着部材７２には、装着部材７２から突起した形状を有し、携帯端末装置１０が装着部材７２に装着されたときに携帯端末装置１０に備えられた欠陥検出スイッチ６０をオンする欠陥検出スイッチ押下部７４が備えられている。すなわち、欠陥検出スイッチ押下部７４は、携帯端末装置１０が装着部材７２に装着されたときに、ちょうど携帯端末装置１０の欠陥検出スイッチ６０が該欠陥検出スイッチ押下部７４によってオンされるように、装着部材７２上の、該欠陥検出スイッチ６０に相対する位置に配置されている。
【００６５】
クレードル７０の装着部材７２は、携帯端末装置１０が装着部材７２に装着された状態で、携帯端末装置１０のレンズ部１２を覆って携帯端末装置１０のＣＣＤ１４を遮光する遮光部７６と、携帯端末装置１０が装着部材７２に装着された状態で、携帯端末装置１０の電池４２（図２参照）を充電するための電力を電源ライン８０から取得して供給する電力供給端子７８を備えている。すなわち、このクレードル７０は充電器として機能するクレードルである。
【００６６】
携帯端末装置１０が図１の矢印で示される向きでクレードル７０に装着されることで、携帯端末装置１０のレンズ部１２がクレードル７０の遮光部７６に覆われ、携帯端末装置１０の欠陥検出スイッチ６０が欠陥検出スイッチ押下部７４により押下される。
【００６７】
クレードル７０の遮光部７６は、レンズ部１２のサイズと等しいか或いはレンズ部１２のサイズより大きなサイズの遮光面７６ａを備え、遮光面７６ａの縁にはゴム製あるいはスポンジ製等の密閉部材７６ｂが形成されている。これにより、携帯端末装置１０がクレードル７０の装着部材７２に装着されるだけで、携帯端末装置１０のレンズ部１２は、遮光部７６により隙間無く完全に覆われて遮光される。従って、外部からの光が透過してレンズ部１２を通過することはなく、ＣＣＤ１４に対して外部からの光を完全に遮断することができる。すなわち、遮光部７６は、携帯端末装置１０が装着部材７２に装着されたときに、ちょうど携帯端末装置１０のレンズ部１２が遮光部７６によって遮光されるように、装着部材７２の該レンズ部１２に相対する位置に配置されている。
【００６８】
図２は、携帯端末装置１０の撮像部の構成を示した図である。
【００６９】
同図に示すように、携帯端末装置１０は、レンズ部１２と、レンズ部１２の光軸後方に配設されたＣＣＤ１４と、相関二重サンプリング回路（以下、「ＣＤＳ」という。）１６と、入力されたアナログ画像信号を画像データに変換するアナログ／デジタル変換器（以下、「ＡＤＣ」という。）１８と、携帯端末装置１０全体の動作を司るマイクロ・コンピュータ（以下、「マイコン」という。）２０と、所定容量のラインバッファを内蔵すると共に入力された画像信号に対して所定のデジタル信号処理を施す一方、撮影によって得られた画像信号により示される被写体像や各種メニュー画面、メッセージ等を表示するための液晶ディスプレイ（以下、「ＬＣＤ」という。）４６に対する表示動作を司るＤＳＰ（Digital Signal Processor）で構成された信号処理回路２２と、主として撮影により得られた画像信号を記憶するＳＤＲＡＭ（Synchronous Dynamic Random Access Memory）により構成されたメモリ２６と、ＣＣＤ１４を駆動させるための駆動信号を生成するＣＣＤ駆動部２８と、ＣＤＳ１６、信号処理回路２２、ＣＣＤ駆動部２８等の各部に対し必要とされるタイミング信号を供給するタイミング信号発生部３０と、を含んで構成されている。
【００７０】
なお、この携帯端末装置１０には、ＣＣＤ１４から出力された信号を読み込むための電子シャッターは設けられているが、メカニカルシャッターが設けられていない。このため、この携帯端末装置１０単独ではＣＣＤ１４を完全に遮光することはできない構成となっている。
【００７１】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素信号を得る処理である。
【００７２】
ＣＣＤ１４の出力端子はＣＤＳ１６の入力端子に、ＣＤＳ１６の出力端子はＡＤＣ１８の入力端子に、ＡＤＣ１８の出力端子は信号処理回路２２の入力端子に、各々接続されている。また、信号処理回路２２はマイコン２０及びデータバスＢＵＳの各々と接続されており、メモリ２６もデータバスＢＵＳと接続されている。更に、マイコン２０はタイミング信号発生部３０の入力端子に、タイミング信号発生部３０の出力端子はＣＤＳ１６、信号処理回路２２、ＣＣＤ駆動部２８等の入力端子に、ＣＣＤ駆動部２８の出力端子はＣＣＤ１４の入力端子に、各々接続されている。
【００７３】
そして、信号処理回路２２によるデジタル信号処理の一部はマイコン２０による制御に応じて実行され、タイミング信号発生部３０による各種タイミング信号の発生も、マイコン２０による制御に応じて実行される。
【００７４】
また、携帯端末装置１０には、データバスＢＵＳに接続された外部インタフェース（以下、「外部Ｉ／Ｆ」という。）２４が内蔵されており、外部Ｉ／Ｆ２４は、携帯端末装置１０にスマート・メディア、ＩＣカード、ＣＤ−Ｒ、ＣＤ−ＲＷ等の可搬型の記録メディア５２が装着された状態において、当該記録メディア５２に対するアクセスを司ると共に、その他のデジタル情報の外部との間の入出力を司る。
【００７５】
また、撮影を実行する際にユーザによって押圧操作されるレリーズボタン（所謂シャッター）３２と、各種メニュー画面をＬＣＤ４６に表示させるときに押圧操作されるメニューボタンや、電源オンオフする電源スイッチ、ＬＣＤ４６の表示内容から所望のものを指定するために押圧操作されるセレクトボタン、セレクトボタンによる指定結果を確定するときに押圧操作される決定ボタンなどの操作部３４と、前述の欠陥検出スイッチ６０とが、マイコン２０に接続されており、マイコン２０は、これらのボタン類に対する操作状態を常時把握することができる。
【００７６】
信号処理回路２２は、マイコン２０から入力されたアドレスデータに基づいて、欠陥画素の位置を特定し、欠陥画素の周辺画素を用いて補間処理を行うことにより、良好に補正された画像信号を生成する。また、信号処理回路２２は、ＬＣＤ駆動回路４４を介して前述のＬＣＤ４６と接続されている。マイコン２０は、ＬＣＤ駆動回路４４に制御信号を出力すると共に、信号処理回路２２を介してＬＣＤ駆動回路４４に例えば輝度信号及び色差信号からなるＹＵＶ信号（あるいはＹＣｒＣｂ信号）を出力することによって、ＬＣＤ４６に画像を表示させる。
【００７７】
ＬＣＤ駆動回路４４は、マイコン２０から入力した制御信号に応じ、信号処理回路２２から入力した画像信号に基づいて、被写体像やメニュー画面等の画像をＬＣＤ４６に表示させるための信号を生成してＬＣＤ４６に供給する。
【００７８】
ＬＣＤ４６は、視認性やコントラストなどに優れた透過タイプであり、それ自体では発光しない受光型の素子により構成されている。そのため、ＬＣＤ４６は、その裏面に、光源としてバックライト５０が配置されている。ＬＣＤ４６に表示された画像は、バックライト５０がＬＣＤ４６を照明することにより可視化される。このバックライト５０には、バックライト駆動回路４８が接続されている。バックライト駆動回路４８は、マイコン２０に接続され、マイコン２０の制御によりバックライト５０に電力を供給する。
【００７９】
さらに、携帯端末装置１０の内部には、各部に駆動用の電力を供給する電池４２が内蔵されている。なお、図２では、電池４２から各部への電力供給ラインは図示が省略されている。また、本実施の形態に係る携帯端末装置１０では、電池４２として、ニッケルカドミウム電池、ニッケル水素電池、リチウムイオン電池等に代表される充電可能な二次電池を適用しているが、マンガン電池、アルカリ電池等の充電できない一次電池を適用することもできる。
【００８０】
携帯端末装置１０には、充電制御部４０が備えられている。充電制御部４０は、電池４２、マイコン２０、およびクレードルインタフェース（ＩＦ）５０に接続されている。クレードルＩＦ５０は、携帯端末装置１０がクレードル７０に装着された状態で、クレードル７０の電力供給端子７８に接続される。充電制御部４０は、クレードルＩＦ５０を介して電力供給端子７８から供給される電力で電池４２を充電する。また、充電制御部４０は、電力供給端子７８に接続されていても、マイコン２０から充電停止指令を受けたときには、マイコン２０から充電開始指令を受けるまで電池４２に対する充電を停止する。
【００８１】
このような携帯端末装置１０を構成する各部は、マイコン２０により制御される。マイコン２０は、マイコン２０に備えられたＲＯＭ等の記憶部２０ａに記憶されたプログラムを実行することにより、後述する画素欠陥検出処理等を含む各種処理や制御を行う。
【００８２】
なお、記憶部２０ａには、プログラムだけでなく、前述したように、工場出荷時に行われた画素欠陥検出処理により検出された欠陥画素の位置を特定するアドレスデータが予め記録されている。アドレスデータは、工場出荷後に行われる画素欠陥検出処理により適宜追加される。
【００８３】
ここで、携帯端末装置１０の撮影時における全体的な処理の流れについて簡単に説明する。
【００８４】
ＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号に変換して信号処理回路２２に出力する。
【００８５】
信号処理回路２２は内蔵しているラインバッファにＡＤＣ１８から順次入力される画像信号を蓄積して一旦メモリ２６に格納する。
【００８６】
メモリ２６に格納された画像信号は、マイコン２０による制御下で信号処理回路２２によって読み出され、これらに光源種に応じたデジタルゲインをかけることでホワイトバランス調整を行なうと共に、ガンマ処理及びシャープネス処理を行なって８ビットのデジタル画像信号を生成し、更に信号処理を施してＹＵＶ信号（あるいはＹＣｒＣｂ信号）を生成し、再びメモリ２６に格納する。
【００８７】
なお、このとき、信号処理回路２２は、欠陥画素についての補正処理も行う。具体的には、記憶部２０ａに記憶されたアドレスデータをマイコン２０から受け取り、このアドレスデータに基づいて欠陥画素の位置を特定する。そして、欠陥画素の信号値を、欠陥画素と同一色成分の周辺画素値に基づいた値で置き換える画素補間処理を行う。例えば、欠陥画素に隣接する上下左右方向の同一色成分画素の画素値の平均値を算出し、この平均値を家間画素に相当する信号値として欠陥画素の画素値を格納するアドレスに書込み補正することができる。
【００８８】
なお、補間処理はこのような処理に限定されないのはもちろんである。例えば、欠陥画素に対して、所定の方向に存在する同一色成分画素の画素値をそのまま該欠陥画素値として用いてもよい。また、欠陥画素のアドレスデータだけでなく、欠陥の度合いを示す欠陥レベルも予め記憶部２０ａに記憶しておき、環境温度や環境湿度、圧縮率などの様々な条件と、欠陥レベルとに応じて、補間処理を施す欠陥画素を抽出して、該抽出した欠陥画素についてのみ補間処理を行うようにしてもよい。例えば、環境温度が高ければ、欠陥レベルの低い画素でも欠陥画素として現れてくるため、欠陥レベルの低い画素も抽出して補間処理を施すようにし、逆に環境温度が低ければ、欠陥レベルの高い画素のみを抽出して補間処理を施すようにしてもよい。
【００８９】
ＬＣＤ４６は、ＣＣＤ１４による連続的な撮像によって得られた動画像（スルー画像）を表示してファインダとして使用することができるものとして構成されている。ＬＣＤ４６をファインダとして使用するときには、信号処理回路２２は、生成したＹＵＶ信号をＬＣＤ駆動回路４４を介して順次ＬＣＤ４６に出力する。これによりＬＣＤ４６にスルー画像が表示される。
【００９０】
ここで、レリーズボタン３２がユーザによって全押し状態とされたときに、この時点でメモリ２６に格納されているＹＵＶ信号（あるいはＹＣｒＣｂ信号）を、不図示の圧縮・伸張部によって所定の圧縮形式で圧縮した後に外部Ｉ／Ｆ２４を介して記録メディア５２に記録する。
【００９１】
なお、画像信号を記録する媒体としてはこのような記録メディアに限定されない。例えば、携帯端末装置１０本体に固定的に備えられたメモリ等の記憶部であってもよい。
【００９２】
次に、この撮像システムで行われる画素欠陥検出処理について図３を参照しながら説明する。図３は、本実施の形態のマイコン２０で行われる画素欠陥検出処理の流れを示すフローチャートである。
【００９３】
ステップ１００では、欠陥検出スイッチ６０がオンしたか否かを判断する。欠陥検出スイッチ６０は、携帯端末装置１０がクレードル７０に装着されたときに、クレードル７０の欠陥検出スイッチ押下部７４によってオンされる。従って、携帯端末装置１０がクレードル７０に装着されたときに、ステップ１００は肯定判断される。
【００９４】
ステップ１００で、欠陥検出スイッチ６０がオンしたと判断したときには、欠陥画素を検出するための欠陥検出モードを起動する。なおこのとき、欠陥検出モード中は充電制御部４０が電池４２への充電を行なわないように充電停止指令を出力する。
【００９５】
ステップ１０４では、現在の日時情報と、前回の検出日時情報を記憶部２０ａから読み出して、その差分を演算する。なお、後述するように、欠陥検出処理を行うと、記憶部２０ａに、該欠陥検出処理を実行した日時情報が記憶される。従って、常に記憶部２０ａには、工場出荷以降に欠陥検出処理を実行した最新の日時情報が記憶されている。
【００９６】
ステップ１０６では、差分が予め定められた閾値よりも大きいか否かを判断する。差分が予め定められた閾値以下であれば、前回の欠陥検出処理からあまり時間が経過していないため、画素欠陥検出処理は行わず、ステップ１１２に以降して、欠陥検出モードを終了し、ステップ１１４で電池４２の充電を開始する。
【００９７】
なお、充電は頻繁に行われる可能性が高いが、欠陥検出は充電ほど頻繁に実行する必要はないため、充電毎ではなく前回の欠陥検出処理実行日時からある定められた一定期間以上の期間が経過したときに欠陥検出処理を実行するようにしている。
【００９８】
ステップ１０６で、差分が閾値よりも大きいと判断した場合には、前回の欠陥検出処理実行日時からある定められた一定期間以上の期間が経過したため、ステップ１０８で、欠陥検出処理を実行する。
【００９９】
以下、欠陥検出処理について詳細に説明する。
【０１００】
携帯端末装置１０のレンズ部１２はクレードル７０の遮光部７６に遮光され、ＣＣＤ１４が遮光された状態となっている。この状態で、撮影を行い、ＣＣＤ１４を構成する各画素から出力された信号の輝度成分のレベルを正常値と比較する。
【０１０１】
各画素が正常であれば、その信号レベルは黒を示すレベルとなるが、画素が欠陥画素であれば黒を示すレベルとは異なるレベルとなる。ここでは、遮光時に出力された信号の輝度成分レベルが、ある閾値以上高い画素を白点傷の画素欠陥と判別する。
【０１０２】
そして、該欠陥画素として判別された画素のうち、記憶部２０ａに欠陥画素として記憶されていない画素について、その画素の位置を特定するアドレスデータを記憶部２０ａに追加して、記憶部２０ａのアドレスデータを更新する。
【０１０３】
なお、閾値を複数個設定しておき、該複数個の閾値と各画素の出力信号を比較して各画素の欠陥レベルも判別し、記憶部２０ａに記憶してもよい。
【０１０４】
ステップ１１０では、今回の欠陥検出実行日時を記憶部２０ａに書き込み、ステップ１１２では、欠陥検出モードを終了する。
【０１０５】
欠陥検出処理が終了した後は、ステップ１１４で充電制御部４０に充電開始指令を出力して、電池４２の充電を開始する。
【０１０６】
以上説明したように、メカニカルシャッターの無いカメラ機構を搭載した撮像装置（本実施の携帯では携帯端末装置１０）であっても、クレードルを用いて簡単な操作により撮像素子（上記ではＣＣＤ１４）を遮光することができ、撮像素子の画素欠陥が工場出荷後に発生しても、それを容易に検出でき、補正できる。
【０１０７】
なお、本実施の形態では、欠陥検出スイッチ６０が押下され且つ前回の欠陥検出日時から所定期間以上の期間が経過したときに欠陥検出処理を行う例について説明したが、欠陥検出スイッチ６０が押下される毎に、すなわち、クレードル７０に装着される毎に毎回行うようにしてもよい。
【０１０８】
［第２の実施の形態］
ここでは、クレードルにカバー部材を設け、このカバー部材に携帯端末装置１０のレンズ部１２を覆ってＣＣＤ１４を遮光する遮光部を設けた実施の形態について説明する。
【０１０９】
図４は、本実施の形態に係る撮像システムの概略構成図である。
【０１１０】
本実施の携帯の撮像システムも、撮像機能を有する携帯端末装置１０と、携帯端末装置１０を装着可能なクレードル９０を備えている。
【０１１１】
携帯端末装置１０の外観および撮像部の構成については、第１の実施の形態と同様であるため、ここでは説明を省略する。
【０１１２】
本実施の形態のクレードル９０は、携帯端末装置１０を装着可能な装着部材９２と、開閉可能なカバー部材９４を備えている。カバー部材９４は装着部材９２に回動ピン９６で回動可能に保持され、携帯端末装置１０が装着部材９２に装着された状態で閉じられると、該装着された携帯端末装置１０表面を覆うことができる。
【０１１３】
携帯端末装置１０を装着部材９２に装着するときの装着方向は第１の実施の形態と逆方向であって、装着部材９２に装着したときに携帯端末装置１０のレンズ部１２および欠陥検出スイッチ６０が装着部材９２とは逆方向に面するように装着する。
【０１１４】
カバー部材９４には、カバー部材９４から突起した形状を有する欠陥検出スイッチ押下部７４が備えられている。この欠陥検出スイッチ押下部７４は、カバー部材９４が閉じて携帯端末装置１０がカバー部材９４で覆われたときに、ちょうど携帯端末装置１０の欠陥検出スイッチ６０が該欠陥検出スイッチ押下部７４によってオンされるように、カバー部材９４の、該欠陥検出スイッチ６０に相対する位置に配置されている。従って、この欠陥検出スイッチ押下部７４は、第１の実施の形態の装着部材７２に設けられていたものと同様に作用する。
【０１１５】
カバー部材９４は、更に、携帯端末装置１０が装着部材７２に装着され、且つカバー部材９４が閉じた状態で、携帯端末装置１０のレンズ部１２を覆って携帯端末装置１０のＣＣＤ１４を遮光する遮光部７６を備えている。遮光部７６の構成は、第１の実施の形態と同様であるため説明を省略する。なお、このクレードル９０には、携帯端末装置１０が装着部材９２に装着された状態で、携帯端末装置１０の電池４２を充電するための電力を電源ライン８０から取得して供給する電力供給端子も備えられている（図４では不図示）。
【０１１６】
携帯端末装置１０は、図４で示される向きでクレードル７０に装着され、矢印で示されるようにカバー部材９４が回動して閉じられることで、携帯端末装置１０のレンズ部１２がクレードル９０の遮光部７６で覆われると共に、携帯端末装置１０の欠陥検出スイッチ６０が欠陥検出スイッチ押下部７４により押下される。
【０１１７】
次に、この撮像システムで行われる画素欠陥検出処理について図５を参照しながら説明する。図５は、本実施の形態のマイコン２０で行われる画素欠陥検出処理の流れを示すフローチャートである。本処理は、ユーザによってクレードル９０に携帯端末装置１０が装着されて電池４２の充電が開始されたときに開始される。
【０１１８】
ステップ２００では、充電中にカバー部材９４が閉じられ、欠陥検出スイッチ６０が押下されると、ステップ２０２に移行し、充電中か否かを判断する。充電中であれば、ステップ２０４で、充電制御部４０に充電停止指令を出力して充電を停止し、充電が既に完了していればステップ２０４の処理はスキップしてステップ２０６に移行する。
【０１１９】
ステップ２０６では、欠陥検出モードを起動し、ステップ２０８では、第１の実施の形態と同様に欠陥検出処理を実行し、実行後はステップ２１０で欠陥検出モードを終了する。
【０１２０】
ステップ２１２では、電池４２の充電が途中か否かを判断し、途中であれば、ステップ２１４で充電を再開し、電池４２の充電が完了していればステップ２１４の処理は行わずに本フローチャートの処理を終了する。
【０１２１】
以上説明したように、メカニカルシャッターの無いカメラ機構を搭載した撮像装置（本実施の携帯では携帯端末装置１０）であっても、クレードルを用いて簡単な操作により撮像素子（上記ではＣＣＤ１４）を遮光することができ、撮像素子の画素欠陥が工場出荷後に発生しても、それを容易に検出でき、補正できる。
【０１２２】
なお、上記第１および第２の実施の形態では、欠陥検出スイッチ６０が押下されたときに欠陥検出処理を行う例について説明したが、これに限定されず、例えば、携帯端末装置１０のレンズ部１２（ＣＣＤ１４）が遮光されたことを検出したときに欠陥検出処理を行うようにしてもよい。
【０１２３】
例えば、第１の実施の形態で例示した構成では、装着部材７２に携帯端末装置１０が装着されたことを検出したときに、レンズ部１２（ＣＣＤ１４）が遮光された判断することができる。なお、携帯端末装置１０の装着検出方法は様々な方法を採用できるが、例えば、電気的な検出方法を採用してもよい。携帯端末装置１０のクレードルＩＦ５０とクレードル７０の電力供給端子が接触して、クレードルＩＦ５０が導通したときに、装着部材７２に携帯端末装置１０が装着された（ＣＣＤ１４が遮光された）と判断することができる。同様に、第２の実施の形態で例示した構成でも、携帯端末装置１０が装着部材９２に装着されカバー部材９４が閉じられたことを検出したときに、欠陥検出処理を行うようにしてもよい。これにより欠陥検出スイッチ６０や欠陥検出スイッチ押下部７４等のメカ的な機構を設けずに、撮影システムを構成することができる。
【０１２４】
また、欠陥検出スイッチ押下部７４に代えて、ユーザが任意のタイミングで欠陥検出処理を実行できるように、クレードルに検出開始ボタンを設けてもよい。
【０１２５】
例えば、第１の実施の形態の構成では、携帯端末装置１０がクレードル７０の装着部材７２に装着された状態で、ユーザがクレードル７０に設けられた検出開始ボタンを押下することで携帯端末装置１０の欠陥検出スイッチ６０がオンされるように構成する。また、第２の実施の形態の構成では、携帯端末装置１０がクレードル９０の装着部材９２に装着され、カバー部材９４が閉じられた状態で、ユーザがクレードル９０に設けられた検出開始ボタンを押下することで携帯端末装置１０の欠陥検出スイッチ６０がオンされるように構成する。これにより、任意のタイミングで欠陥検出処理を開始することができる。
【０１２６】
なお、クレードルは、第１の実施の形態、第２の実施の形態で示したクレードルに限定されない。例えば、第１の実施の形態のクレードル７０の変形例として、図６に示すように、携帯端末装置１０を装着する方向が第１の実施の形態と逆方向、すなわち、上記電力供給端子７８とは別に、更に、レンズ部１２及び欠陥検出スイッチ６０が上面になるようにしてクレードル７０の装着部材７２に装着する場合であっても電池４２の充電が可能なように、もう一対の電力供給端子８２を設ける。レンズ部１２及び欠陥検出スイッチ６０が上面になるようにしてクレードル７０の装着部材７２に装着すると、欠陥検出スイッチ６０はオンされないため、欠陥検出処理は行われないが、充電のみは可能であるため、充電しながら撮影動作を行ったりすることが可能となる。
【０１２７】
また、第１の実施の形態、第２の実施の形態では、充電器として機能するクレードルを例に挙げて説明したが、例えば、パソコンなどに接続して画像データを送受信するために用いられるクレードルであってもよく、特に限定されない。
【図面の簡単な説明】
【０１２８】
【図１】第１の実施の形態に係る撮像システムの概略構成図である。
【図２】携帯端末装置の撮像部の構成を示した図である。
【図３】第１の実施の形態のマイコンで行われる画素欠陥検出処理の流れを示すフローチャートである。
【図４】第２の実施の形態に係る撮像システムの概略構成図である。
【図５】第２の実施の形態のマイコンで行われる画素欠陥検出処理の流れを示すフローチャートである。
【図６】第１の実施の形態のクレードルの変形例である。
【符号の説明】
【０１２９】
１０  携帯端末装置
１２  レンズ部
２０  マイコン
２０ａ  記憶部
２２  信号処理回路
４０  充電制御部
４２  電池
６０  欠陥検出スイッチ
７０  クレードル
７２  装着部材
７４  欠陥検出スイッチ押下部
７６  遮光部
７６ａ  遮光面
７６ｂ  密閉部材
７８  電力供給端子
９０  クレードル
９２  装着部材
９４  カバー部材
９６  回動ピン
【図１】
2007329556.tif 000003
【図２】
2007329556.tif 000004
【図３】
2007329556.tif 000005
【図４】
2007329556.tif 000006
【図５】
2007329556.tif 000007
【図６】
2007329556.tif 000008